(57)【要約】【課題】耐衝撃性を保持しつつ、収納作業効率の高い、かつ荷崩れのない安定した積み重ね性のよいカートリッジ収納ケースを提供する。【解決手段】複数個のカートリッジを保持する区画室を形成された略矩形状のカートリッジ収納上ケースと、区画室と対向する位置に実質同じ形状の区画室が形成された略矩形状のカートリッジ収納下ケースと、から成り、相互に係合する凸部と凹部とを備えた同一構造の上ケースと下ケースを重ね合わせて凸部と凹部とを係合することで内部に前記区画室の倍の広さの区画室が形成されるカートリッジ収納ケースにおいて、カートリッジ収納ケースどうしの積み重ね時に、それぞれ互いに嵌合されるリブを上ケースと下ケースにそれぞれ設けた。【選択図】図５
2007204083.tif 000002
【特許請求の範囲】
【請求項１】
磁気テープ巻回リールが内設される扁平体状のカートリッジの複数個を厚み方向に並置させてブロック状としたカートリッジ群を保持する区画室を形成された略矩形状のカートリッジ収納上ケースと、前記区画室と対向する位置に実質同じ形状の区画室が形成された略矩形状のカートリッジ収納下ケースと、から成り、相互に係合する凸部と凹部とを備えた同一構造の前記上ケースと前記下ケースを重ね合わせて前記凸部と前記凹部とを係合することで内部に前記区画室の倍の広さの区画室が形成されるカートリッジ収納ケースにおいて、
前記カートリッジ収納ケースどうしの積み重ね時に、それぞれ互いに嵌合されるリブを前記上ケースと前記下ケースにそれぞれ設けたことを特徴とするカートリッジ収納ケース。
【請求項２】
前記上ケースと前記下ケースは互いに分離されるものであることを特徴とする請求項１記載のカートリッジ収納ケース。
【請求項３】
前記上ケースに設けられた前記リブと前記下ケースに設けられた前記リブとは互いに凹部と凸部の嵌合関係にあることを特徴とする請求項２記載のカートリッジ収納ケース。
【請求項４】
前記上ケースに設けられた前記リブと前記下ケースに設けられた前記リブとは異なる外形であることを特徴とする請求項３記載のカートリッジ収納ケース。
【請求項５】
前記凹部の内側に接する前記凸部は、内部が中実であることを特徴とする請求項３または４記載のカートリッジ収納ケース。
【発明の詳細な説明】
【技術分野】
【０００１】
本発明は、磁気テープ巻回リールが内設される扁平体状のカートリッジを収納するカートリッジ収納ケースの収納箱に関し、特に、その安定した積み重ねが可能なカートリッジ収納ケースに関する。
【背景技術】
【０００２】
従来、ワンリール型の磁気記録テープカートリッジを集積包装する場合、図８に示すように、各カートリッジ１を１巻単位でケース３に収納し、そのケース３を複数個毎に段ボールの箱５に詰めて緩衝性を保持していた。
しかし、この集積包装の場合、カートリッジ１が段ボール箱５内に収納されるため、カートリッジ１の有無や種別等を確認するためには段ボール箱５を開封する必要があり、利便性に問題があった。
また、段ボール詰めでは浸水時に濡れてしまい、段ボール箱５が壊れてしまうという問題もあった。
【０００３】
このようなことから、水に濡れてもケース強度に支障を来さず、中の収納物の見える透明のプラスチックでカートリッジ１を集積包装する例えば図９に示すケース７が非特許文献１に開示され、市場に提供されるようになった。
【非特許文献１】ＵＴＯ−Ｕｌｔｒｉｕｍ  Ｌ−ｐａｃｋ、［online］、ＴＤＫ株式会社、[平成１７年１１月１４日検索]、インターネット＜URL:http://www.tdk.com/professional/lto/ltopack.html＞
【０００４】
しかしながら、上記非特許文献１記載のケース７は、個々のカートリッジ１を収納するための収納空間９が複数の仕切り突起１１に区画され、この収納空間９にカートリッジ１を１巻単位で保管するものであった。つまり、カートリッジが分散収納されていた。このため、実際の収納作業ではカートリッジ１を一つ一つ納めることとなり、特にカートリッジ１が大量にある場合には使い勝手が悪くなる問題があった。
また、上記ケース７においては、収納空間９が一つ一つで区画されているため、収納面積（すなわち、ケース７の上面開口面積）の全体が個々の収納空間９によって等分割される。このため、最端部のケース部位１３，１５では、収納カートリッジの略全数の荷重が集中し、耐衝撃性に乏しくなり、落下時における衝撃吸収能力が低くなるという問題があった。
さらに、上記ケース７を上下に積み重ねる際に、適切なリブが形成されていないため、上下に重ねると安定性が損なわれた。
【発明の開示】
【発明が解決しようとする課題】
【０００５】
本発明は上記状況に鑑みてなされたもので、耐衝撃性を保持しつつ、収納作業効率の高い、かつ荷崩れのない安定した積み重ね性のよいカートリッジ収納ケースを提供することを目的としている。
【課題を解決するための手段】
【０００６】
上記課題を解決するため、請求項１記載の発明はカートリッジ収納ケースに係り、磁気テープ巻回リールが内設される扁平体状のカートリッジの複数個を厚み方向に並置させてブロック状としたカートリッジ群を保持する区画室を形成された略矩形状のカートリッジ収納上ケースと、前記区画室と対向する位置に実質同じ形状の区画室が形成された略矩形状のカートリッジ収納下ケースと、から成り、相互に係合する凸部と凹部とを前記フランジに備えた同一構造の前記上ケースと前記下ケースを重ね合わせて前記凸部と前記凹部とを係合することで内部に前記区画室の倍の広さの区画室が形成されるカートリッジ収納ケースにおいて、前記カートリッジ収納ケースどうしの積み重ね時に、それぞれ互いに嵌合されるリブを前記上ケースと前記下ケースにそれぞれ設けたことを特徴としている。
また、請求項２記載の発明は、請求項１記載のカートリッジ収納ケースにおいて、前記上ケースと前記下ケースが互いに分離されるものであることを特徴としている。
さらに、請求項３記載の発明は、請求項２記載のカートリッジ収納ケースにおいて、前記上ケースに設けられた前記リブと前記下ケースに設けられた前記リブとは互いに凹部と凸部の嵌合関係にあることを特徴としている。
そして、請求項４記載の発明は、請求項３記載のカートリッジ収納ケースにおいて、前記上ケースに設けられた前記リブと前記下ケースに設けられた前記リブとが互いに異なる外形であることを特徴としている。
さらに、請求項５記載の発明は、請求項３または４記載のカートリッジ収納ケースにおいて、前記凹部の内側に接する前記凸部が内部が中実であることを特徴としている。
【発明の効果】
【０００７】
請求項１記載の発明によれば、カートリッジ収納ケースどうしの積み重ね時に、それぞれ互いに嵌合されるリブを上ケースと下ケースにそれぞれ設けたので、互いに嵌合させて積み重ねることができるため、少々の振動・地震があっても荷崩れすることがない。
また、請求項２記載の発明によれば、上ケースと下ケースが分離できるので、作業時に上ケースを外して、収納物を詰めたり・取り出しが自由に行うことができる。
さらに、請求項３記載の発明によれば、上ケースに設けられたリブと下ケースに設けられたリブとは互いに凹部と凸部の嵌合関係にあるので、嵌合が簡単にできまた外れにくくなる。
そして、請求項４記載の発明によれば、上ケースに設けられたリブと下ケースに設けられたリブとが互いに異なる外形であるので、フリースペースが生じ、塵埃の雰囲気中でも確実な嵌合ができるようになる。
さらに、請求項５記載の発明によれば、凹部の内側に接する凸部は内部が中実であるので、頑丈な凸部が得られる。
【発明を実施するための最良の形態】
【０００８】
以下、本発明に係るカートリッジ収納ケースの好適な実施の形態について、図１〜図７を参照して詳細に説明する。
図１は本発明が対象としているカートリッジ収納ケースの上ケース、下ケースの分離された分解斜視図、図２は図１に示した上ケースの平面視を（ａ）その側面視を（ｂ）に示した上ケース説明図、図３はカートリッジ収納ケースを説明する図で、（ａ）は図２のＡ矢視図、（ｂ）は区画室の外壁面に設けられる緩衝リブを表したカートリッジ収納ケースの要部外観図である。
カートリッジ収納ケース１００は、例えば磁気テープ巻回リールが内設される扁平体状のカートリッジ２１を収納する場合に好適に用いることができる。
【０００９】
カートリッジ２１は、不図示の磁気テープ巻回リールを、軸線が厚み方向となる向きで内設している。本実施の形態では、カートリッジ２１が正方形の扁平体である場合を例に説明するが、カートリッジは、この他、矩形状の扁平体状であってもよい。
【００１０】
カートリッジ収納ケース１００は、同一構造の上ケース２３と、下ケース２５とを上下から重ね合わせて係合することにより、開閉可能となる。これら上ケース２３と下ケース２５とを係合することにより、その内部には複数の区画室２７が形成されるようになっている。本実施の形態では、４つの区画室２７が形成される。それぞれの区画室２７には、複数のカートリッジ２１を図１に示すように、厚み方向に並置させてブロック状としたカートリッジ群２９を保持可能としている。なお、カートリッジ２１は、図１に示すように、強度の弱いテープ取り出し口を区画室２７の中央側になるように、テープ取り出し口を上にする向きで配置する。さらに好ましくは、テープ取り出し口を区画室２７毎で相互に向かい合わせる配置とするとよい。その場合には、テープ取り出し口がカートリッジ収納ケース１００の中央側に向けられて、ケース外方からの衝撃からテープ取り出し口を保護することができる。
【００１１】
ここでは、１つの区画室２７が、５つのカートリッジ２１からなるカートリッジ群２９の体積と、略同一の収納容積を形成している。したがって、各区画室２７には、カートリッジ２１を無造作に詰め込んでも、個々のカートリッジ２１に対する仕切壁がないので、簡単に入れることができる。例えば、カートリッジ２１の２〜３個は纏めて掴んで詰め込むことができ、一つ一つ掴んで挿入する従来品とは、収納の作業効率が格段に向上されている。
【００１２】
このように、複数のカートリッジ２１が、ブロック状に纏めて収納される分、同一の収納面積で複数のカートリッジ２１が分散収納される場合に比べ、収納に寄与しない余剰面積が確保可能となる。カートリッジ収納ケース１００では、この余剰面積部分が衝撃吸収部（所謂クラッシャブルゾーン）として利用されている。
【００１３】
すなわち、上ケース２３、下ケース２５の磁気テープ巻回リール軸線方向両端側には、衝撃吸収部であるフランジ３１，３１が延設されている。それぞれのフランジ３１にはケース持ち運び用の取っ手となる取っ手開口３３が穿設されている。つまり、上ケース２３と下ケース２５とが係合されたカートリッジ収納ケース１００は、いずれか一方の取って開口３３に手を入れて、他方のフランジ３１が下方となるようにして持ち運びすることが可能となっている。また、カートリッジ収納ケース１００は、両手で両側の取っ手開口３３、３３を掴んで、水平方向にして持ち運びしてもよい。
【００１４】
上記のように、一方の取っ手開口３３を片手で掴み、他方のフランジ３１が下方となるようにしてカートリッジ収納ケース１００を持ち運ぶ際、仮にカートリッジ収納ケース１００が手から滑り落ちると、カートリッジ収納ケース１００は、下方のフランジ３１が床面に衝突する。この際、衝撃吸収部となるフランジ３１は、カートリッジ収納ケース１００及びカートリッジ群２９の荷重により変形し、その変形によって衝撃エネルギーが吸収されて、収納されたカートリッジ２１に対する衝撃が緩和されるようになっている。
【００１５】
一般に、カートリッジ２１は、リール軸方向に加わる衝撃に弱い。これは、巻きテープの端面にはテープ飛び出しが発生している場合があり、このテープ飛び出しによりテープ端がリールフランジに当たることで、テープが潰れたり折れ曲がる等すると、磁気テープの円滑な巻き取り繰り出しが阻害され、最悪の場合、読み書きができなくなってしまうためである。本実施の形態では、カートリッジ２１のリール軸線方向に、衝撃吸収部となるフランジ３１を配設することにより、衝撃に対して脆弱なリール軸線方向の耐衝撃性が向上されるようになっている。
【００１６】
図３（ｂ）は区画室の外壁面に設けられる緩衝リブを表したカートリッジ収納ケースの要部外観図である。
また、各区画室２７の壁面には、区画室２７から外方へ突出する緩衝リブ３５が形成されている。したがって、外部から物体がカートリッジ収納ケース１００に衝突した場合であっても、緩衝リブ３５により、ケース外壁面とカートリッジ２１との間には空隙が形成されることとなり、この緩衝リブ３５がクッション材となって耐衝撃性が高まるようになっている。特に、各区画室２７のコーナー部には、図３（ｂ）に示すように、カートリッジ２１の稜線部を包囲するような緩衝リブ３７が形成され、カートリッジ２１を収納した状態で、カートリッジ収納ケース１００を落下させた場合等の、カートリッジ稜線部の変形を効果的に阻止する衝撃吸収機能が備えられている。
【００１７】
カートリッジ収納ケース１００は、相互に係合する凸部（凸条）４１，と凹部（凹溝）４３とを備えた同一構造の上ケース２３と下ケース２５とからなる。本実施の形態では、４つの区画室２７を包囲する周囲に、図２のケースセンター線４５を対称に、上下に凸条４１と凹溝４３とが形成されている。すなわち、上ケース２３、下ケース２５は、センター線４５を挟み、一方にコ字状の凸条４１が連続して形成され、他方にコ字状の凹溝４３が連続して形成されている。
【００１８】
同一構造である上ケース２３と下ケース２５とが、上下に組み合わされたときに、凸条４１が凹溝４３に入り込み、双方が係合する。これにより、区画室２７が密閉されて、耐水性を得ることができ、水に浮くことも可能である。また、ほこり、湿気、跳ねかけられた水、及び他の有害物質に対してカートリッジ２１を保護することができる。つまり、一つのケースが、蓋としても、身としても使用されることとなる。このことから一つの金型により成形した一種類のケースを用いて、凸条４１、凹溝４３により開閉が可能となる区画室２７の形成されるカートリッジ収納ケース１００が構成されている。
【００１９】
また、各区画室２７同士の間には、仕切り部４７が設けられている。この仕切り部は、衝撃に対する変形が容易となるようにその形状及び後述の厚みで形成されている。すなわち、落下時に仕切り部４７が変形することでその衝撃を緩和する。仕切り部４７は、落下方向がフランジ３１のある側からであっても、或いはそれと垂直方向であってもよいように、いずれの方向にも介在している。本実施の形態では、４方に配設された区画室２７を４つに仕切るように十字方向の仕切り部４７が形成されている。
【００２０】
カートリッジ収納ケース１００は、カートリッジ群２９が収納される区画室２７同士の間に、仕切り部４７が介在することで、例えば落下等により各カートリッジ群２９毎に衝撃が加わった場合であっても、仕切り部４７が衝撃を吸収し、カートリッジ群２９群同士の慣性による衝撃力が、相互に影響を及ぼさないようになっている。
【００２１】
ところで、カートリッジ群２９を収納したカートリッジ収納ケース１００は、外形状と略同一の内形状となった不図示の段ボール箱に収容される。このため、当該段ボール箱からの取り出し性を良好とするため、フランジ３１の両側には略４５度の傾斜辺となった面取り部４９が形成されている。これにより、段ボール箱に収容されたカートリッジ収納ケース１００は、段ボール箱内壁面との間に、この面取り部４９による三角穴が形成されて、手指の挿入による容易な取り出しが行えるようになっている。
【００２２】
さらに、この面取り部４９には、図示は省略するが、面取り部４９に摘み片を延設した構成としてもよい。この場合には、同一構造の上ケース２３と下ケース２５とが図１に示すように、区画室２７を形成して上下方向から重ねられたとき、双方の摘み片５１を上下に離反することにより、上ケース２３と下ケース２５との係合が解除され易くなる。
【００２３】
さらに、上ケース２３と下ケース２５との最外周には、周縁を僅かに折り曲げた段曲げ部が形成されている。この段曲げ部は、上記の凸条４１と凹溝４３と同様に、センター線４５を対称にいずれか一方に形成されている。これにより、上ケース２３と下ケース２５とを重ね合わせた際に、段曲げ部が他方の周縁に被さり、防塵性、防水性が向上されるようになっている。
【００２４】
さらに、各区画室２７の外部底面部には、相互に遊嵌可能な大小の四角枠部５３ａ，５３ｂが膨出されている。これにより、カートリッジ収納ケース１００が上下方向に積載されても、上側カートリッジ収納ケース１００下面の四角枠部５３ａ，５３ｂが、下側カートリッジ収納ケース１００上面の四角枠部５３ｂ，５３ａに嵌合して、相対的な横ずれ規制されて、段積み時の崩れ防止が図られるようになっている。これについては後で詳述する。
【００２５】
上ケース２３、下ケース２５のそれぞれは、可塑性樹脂の一体成形品からなる。このため、比較的取り扱い性が容易な材料を用いて、ケートリッジを確実に保護する堅牢性と、適宜な衝撃吸収性を備えた上ケース２３、下ケース２５が容易かつ安価に量産可能となっている。
【００２６】
この可塑性樹脂は、例えばポリエチレンテレフタレート、ポリプロピレン、ポリスチレンのいずれかを含むものとすることができる。可塑性樹脂が、ポリエチレンテレフタレート、ポリプロピレン、ポリスチレンのいずれかとなることで、材料の入手が容易となるとともに、廃品となった後の回収・再利用が可能で、容易かつ安価な真空成形が可能となる。
【００２７】
また、可塑性樹脂は、透光性を有するものであることが好ましい。これにより、上ケース２３、下ケース２５が係合され、区画室２７が密閉状態となった場合においても、区画室２７内に収納されるカートリッジ２１が外部より視認可能となり、密閉区画室２７内のカートリッジ収納状況が容易に把握可能となる。
【００２８】
また、厚みが０．５〜２．０ｍｍの可塑性樹脂のシートを用いて、延伸加工により形成することで、複数のカートリッジ群を収納する区画室の最低構造強度が経済的に確保されるとともに、ケース全体の重量も最低強度を満足しつつ最小とすることができる。また、上記厚みで形成されることで、外力が加えられた際の適度な変形が可能となり、収納カートリッジに対する衝撃吸収作用を最適に確保することが可能となる。つまり、これより薄厚であれば、変形が容易となり過ぎ、衝撃吸収効果が低下する。また、これより厚くなれば、変形し難くなり、衝撃力が直接収納カートリッジに伝達されてしまうことになる。本構成では、可塑性樹脂のシート厚みが上記厚みに設定されることで、最適な衝撃吸収部（クラッシャブルゾーン）の形成が可能となる。
【００２９】
図４はこのようなカートリッジ収納ケースに複数個のカートリッジを収納する手順を示す図である。
（イ）において１００は下ケース、１００ｕは上ケース、Ｃ１はカートリッジ収納ケース内の同一区画室に収納されるべき第１カートリッジ群、Ｃ２はカートリッジ収納ケース内の同一区画室に収納されるべき第２カートリッジ群である。
（ロ）は第１カートリッジ群Ｃ２と第２カートリッジ群Ｃ２がそれぞれ下ケース１００ｕ内に収納された状態を示している。この後、下ケース１００ｕを上ケース１００ｕが覆う。
（ハ）で、この後、上ケース１００ｕが下ケース１００ｕの上に被せられる。
（ニ）で、上ケース１００ｕと下ケース１００ｕが一体となり、透明なカートリッジ収納ケースの中に第１カートリッジ群と第２カートリッジ群とがそれぞれ別の区画室に収納されている様子が窺える。
【００３０】
図５は図４の（４）で上下一体となった本発明に係るカートリッジ収納ケースが別のカートリッジ収納ケースの上に安定して積み重ねられる様子を説明する図で、（１）は１個のカートリッジ収納ケースの正面図、（２）は上下に積み重ねられた２個のカートリッジ収納ケースの正面図をそれぞれ示している。
【００３１】
（１）において１００は上下一体となったカートリッジ収納ケースで、下ケースの外部底面部には、それぞれ中央に四角い凹部を形成する周囲が凸の大きな四角枠部１００凹（図１の５３ａ，５３ａ）が図の左右に膨出されており、図の紙面では見えないがその向こう側の左右にそれぞれ中央に四角い凹部を形成する周囲が凸の小さな四角枠部１００凸（図１の５３ｂ，５３ｂ）が膨出されており、四角枠部１００凸は上記四角枠部１００凹の中央に形成されたに四角凹部の中に嵌合できるような寸法とされている。
【００３２】
一方、図の（１）における上ケースの外部上面部には、それぞれ中央に四角い凹部を形成する周囲が凸の小さな四角枠部１００凸（図１の５３ｂ，５３ｂ）が図の左右に膨出されており、図の紙面では見えないがその向こう側の左右にそれぞれ中央に四角い凹部を形成する周囲が凸の大きな四角枠部１００凹（図１の５３ａ，５３ａ）が膨出されており、四角枠部１００凸は上記四角枠部１００凹の中央に形成されたに四角凹部の中に嵌合できるような寸法とされている。
【００３３】
そこで、図の（２）のように、上下一体となったカートリッジ収納ケース１００−１の上に、別のカートリッジ収納ケース１００−２を積み重ねると、カートリッジ収納ケース１００−１の上の小さな四角枠部１００凸（図１の５３ｂ，５３ｂ）が、カートリッジ収納ケース１００−２の下の大きな四角枠部１００凹（図１の５３ａ，５３ａ）の中央に形成されたに四角凹部に嵌合し、カートリッジ収納ケース１００−１とカートリッジ収納ケース１００−２は一体的となり、これによって少々の振動では荷崩れを起さないようになる。
【００３４】
図６は図５の１００凸および１００凹の構成部分について説明する平面図で、（ａ）は上ケース、（ｂ）は下ケースである（またはその逆でもよい）。図でハッチング部分は凸部を表している。
（ａ）の５３ａ１は上ケース２３に一体形成された矩形突起であり、（ｂ）の５３ａ２は下ケース２５に一体形成された矩形突起である。矩形突起５３ａ１の外面で構成される凸部は矩形突起５３ａ２の内面で構成される凹部に嵌合される寸法にそれぞれ選ばれている。嵌合するためには凸部外寸と凹部内寸とはできるだけ近いことが好ましい（０より大きく１ｍｍ以下）。
【００３５】
そこで図６の上ケース２３を下ケース２５の上に図４（ニ）の如く重ねて上下一体となったカートリッジ収納ケース１００となった状態で、下ケースの外部底面部には、４隅にそれぞれ中央に四角い凹部を形成する周囲が凸の大きな四角枠部５３ａ２が膨出し、一方、上ケースの外部上面部には、４隅にそれぞれ中央に四角い凹部を形成する周囲が凸の小さな四角枠部５３ａ１が膨出している。
そこで、図５の（２）のように、上下一体となったカートリッジ収納ケース１００−１の上に、別のカートリッジ収納ケース１００−２を積み重ねると、カートリッジ収納ケース１００−１の上の小さな四角枠部１００凸（図１の５３ｂ，５３ｂ）が、カートリッジ収納ケース１００−２の下の大きな四角枠部１００凹（図１の５３ａ，５３ａ）の中央に形成されたに四角凹部に嵌合し、カートリッジ収納ケース１００−１とカートリッジ収納ケース１００−２は一体的となり、これによって少々の振動では荷崩れを起さないようになる。
【００３６】
なお、図６の小さな凸部５３ａ１と大きな凹部の組み合わせについてはいろいろなバリエーションが考えられる。なお、図において、ハッチング部分は凸部である。図６では、上ケース２３に４個の小さな凸部５３ａ１を配置し、下ケース２５に４個の大きな凹部５３ａ２を配置している。このような配置は収納される物が天地を問題とするものであるときに採用するとよい。
【００３７】
また、図１のように、上ケース２３および下ケース２５にそれぞれ２個の小さな凸部５３ａと２個の大きな凹部５３ｂを互いに並置してもよい。このような配置は収納される物が左右の向きを問題とするものであるときに採用するとよい。
【００３８】
また、上ケース２３および下ケース２５にそれぞれ２個の小さな凸部５３ａと２個の大きな凹部５３ｂを互いに対角関係に並置してもよい。このような配置は収納される物が天地および左右の向きを問題とするものでないときに採用するとよい。
【００３９】
図６は小さな凸部と大きな凹部がいずれも四角枠部どうしといった同一形状のの組み合わせ例であったが、本発明はそれに限定されるものではなく、同一形状の組み合わせえなくてもよい。図７は種々の小さな凸部と大きな凹部の組み合わせについて説明する図である。
【００４０】
図において、（ａ）は外側リブ５３ｂ１内に内側リブ５３ｂ２が納まる例であり、その場合のリブ形状は丸でも、三角でも、四角でもよい。
（１）は四角の外側リブ５３ｂ１内に円形の内側リブ５３ｂ２が納まる例であり、（２）は三角の外側リブ５３ｃ１内に円形の内側リブ５３ｃ２が納まる例である。以上の組み合わせ例は図６の場合と違って、外側リブ５３ｂ１、５３ｃ２内に円形の内側リブ５３ｂ２、５３ｃ２とそれぞれ４点および３点で接しているだけであり、その他の部位はフリースペースであるので、フリースペースに塵埃などが少々溜まっても嵌合に支障がないため、塵埃の雰囲気中での使用に向いているといえる。
【００４１】
図において、（ａ）は外側リブ５３ｂ１内に内側リブ５３ｂ２が納まる例であり、その場合のリブ形状は丸でも、三角でも、四角でもよい。なお、図において、ハッチング部分は凸部である。
（１）は四角の外側リブ５３ｂ１内に円形の内側リブ５３ｂ２が納まる例であり、（２）は三角の外側リブ５３ｃ１内に円形の内側リブ５３ｃ２が納まる例である。以上の組み合わせ例は、全周で内接していた図６の場合と違って、外側リブ５３ｂ１、５３ｃ２内に円形の内側リブ５３ｂ２、５３ｃ２とそれぞれ４点および３点で接しているのでここで係合が行われる他に、特に意匠的な効果に優れている。
【００４２】
図７の（ｂ）は、内側リブ５３ｄ２，５３ｅ２，５３ｆ２が凸部のみで構成される例である。すなわち、（１）は四角の外側リブ５３ｄ１内に円形凸部５３ｄ２が納まる例、（２）は三角の外側リブ５３ｅ１内に円形凸部５３ｅ２が納まる例、（３）は四角の外側リブ５３ｆ１内に四角凸部５３ｆ２が納まる例をそれぞれ示している。図７の（ｂ）は、内側リブ５３ｄ２，５３ｅ２，５３ｆ２が凸部のみであるので、材料はかかるが強度が強くなるので、強度が要求される場合に有効でり、意匠的な効果も優れている。
【００４３】
以上のように、本発明によれば、耐衝撃性を保持しつつ、収納作業効率の高い、かつ安定した積み重ね性のよいカートリッジ収納ケースが得られる。
【図面の簡単な説明】
【００４４】
【図１】本発明に係るカートリッジ収納ケースの上ケース、下ケースの分離された分解斜視図である。
【図２】図１に示した上ケースの平面視を（ａ）その側面視を（ｂ）に示した上ケース説明図である。
【図３】カートリッジ収納ケースを説明する図で、（ａ）は図２のＡ矢視図、（ｂ）は区画室の外壁面に設けられる緩衝リブを表したカートリッジ収納ケースの要部外観図である。
【図４】複数個のカートリッジをカートリッジ収納ケースに収納する手順を示す図である。（１）において１００は下ケース、１００ｕは上ケース、Ｃ１はカートリッジ収納ケース内の同一区画室に収納されるべき第１カートリッジ群、Ｃ２はカートリッジ収納ケース内の同一区画室に収納されるべき第２カートリッジ群である。
【図５】カートリッジ収納ケースが別のカートリッジ収納ケースの上に安定して積み重ねられる様子を説明する図で、（１）は１個のカートリッジ収納ケースの正面図、（２）は上下に積み重ねられた２個のカートリッジ収納ケースの正面図をそれぞれ示している。
【図６】図５の凸部および凹部の配置について説明する平面図で、（ａ）は上ケース、（ｂ）は下ケースである。
【図７】互いに異なる形状による凸部と凹部の組み合わせ例を示す図である。
【図８】複数個のカートリッジを収納する従来方法１の説明図である。
【図９】複数個のカートリッジを収納する従来方法２の説明図である。
【符号の説明】
【００４５】
２１  カートリッジ
２３  上ケース
２５  下ケース
２７  区画室
２９  カートリッジ群
４１  凸条（凸部）
４３  凹溝（凹部）
４７  仕切り部
５３ａ１〜５３ｆ１  大きな凹部（嵌合凹部）
５３ａ２〜５３ｆ２  小さな凸部（嵌合凸部）
１００  カートリッジ収納ケース
Ｃ１  第１カートリッジ群
Ｃ２  第２カートリッジ群
【図１】
2007204083.tif 000003
【図２】
2007204083.tif 000004
【図３】
2007204083.tif 000005
【図４】
2007204083.tif 000006
【図５】
2007204083.tif 000007
【図６】
2007204083.tif 000008
【図７】
2007204083.tif 000009
【図８】
2007204083.tif 000010
【図９】
2007204083.tif 000011